(57)【要約】【課題】管体用のスペーサの位置ずれを防止する構造の簡素化や使用部品の小サイズ化などを適切に図ることが可能な熱交換器を提供する。【解決手段】ケーシング７内に収容されて一定方向に並んだ熱交換用の複数の管体部５０ａと、これら複数の管体部５０ａどうしの間に挿入可能な複数の突起部２０およびこれら複数の突起部２０を支持しまたは一連に繋ぐ基端部２１を有するスペーサＳと、を備えている、熱交換器ＨＥであって、スペーサＳの複数の突起部２０のうち、少なくとも１つの突起部２０は、複数の管体部５０ａどうしの間に挿入されることなく、前記一定方向の最端に位置する管体部５０ａ’の外面側にはみ出すように配置されたはみ出し突起部２０ａとされ、ケーシング７またはその内部には、スペーサＳの移動を規制するようにはみ出し突起部２０ａと係合する係合部が設けられている。【選択図】  図３
2011007353.tif 000002
【特許請求の範囲】
【請求項１】
加熱用流体が流入するケーシングと、
このケーシング内に収容されて一定方向に並んだ熱交換用の複数の管体部と、
これら複数の管体部どうしの間に挿入可能な複数の突起部およびこれら複数の突起部を支持しまたは一連に繋ぐ基端部を有するスペーサと、
を備えている、熱交換器であって、
前記スペーサの複数の突起部のうち、少なくとも１つの突起部は、前記複数の管体部どうしの間に挿入されることなく、前記一定方向の最端に位置する管体部の外面側にはみ出すように配置されたはみ出し突起部とされており、
前記ケーシングまたはその内部には、前記スペーサの移動を規制するように前記はみ出し突起部と係合する係合部が設けられていることを特徴とする、熱交換器。
【請求項２】
前記複数の管体部は、上下方向に並び、かつ前記はみ出し突起部は、前記複数の管体部のうち、最下端の管体部の下側に位置しており、
前記ケーシング内には、前記最下端の管体部の下面に当接してこの管体部を支持する支持部材が固定して設けられ、
この支持部材に前記係合部が設けられている、請求項１に記載の熱交換器。
【請求項３】
前記支持部材は、前記はみ出し突起部が進入する上面開口状の凹部を形成する起立壁を有し、かつこの起立壁が、前記係合部であり、
前記起立壁と前記はみ出し突起部との係合により、前記スペーサの水平方向への移動が規制されている、請求項２に記載の熱交換器。
【請求項４】
前記スペーサは、前記複数の管体部のうち、最上端の管体部の上側に位置する追加のはみ出し突起部を有しており、
前記ケーシングの上壁部は、前記追加のはみ出し突起部に対してその上側から当接または接近し、前記追加のはみ出し突起部および前記複数の管体部の上方への移動を規制している、請求項２または３に記載の熱交換器。
【請求項５】
前記ケーシングのうち、前記最端箇所の管体部の外面に対向する壁部には、前記はみ出し突起部を進入させる凹部が形成されており、この凹部形成領域が、前記係合部である、請求項１に記載の熱交換器。
【請求項６】
加熱用流体供給手段と、この加熱用流体供給手段から供給される加熱用流体を利用して湯水加熱を行なうための熱交換器と、を備えている、温水装置であって、
前記熱交換器として、請求項１ないし５のいずれかに記載の熱交換器が用いられていることを特徴とする、温水装置。
【発明の詳細な説明】
【技術分野】
【０００１】
本発明は、熱交換用の複数の管体部の配列をスペーサを用いて設定するように構成されたタイプの熱交換器、およびこれを用いた温水装置に関する。
【背景技術】
【０００２】
本出願人は、熱交換器の具体例として、特許文献１に記載されたものを先に提案している。同文献に記載された熱交換器は、図９に示すように、燃焼ガスが流入するケーシング７Ａと、このケーシング７Ａ内に収容される伝熱管８と、スペーサ９とを有している。スペーサ９は、金属線材に曲げ加工を施すことにより形成されており、基端部９０と、この基端部９０から略水平方向に突出する複数の突起部９１とを有している。これら複数の突起部９１は、管体部８０どうしの間に挿入され、このことにより管体部８０どうしの隙間の上下方向の寸法が所定の値に設定される。ケーシング７Ａ内には、複数の起立部６９を有する支持部材６ｅが設けられており、この支持部材６ｅによって伝熱管８が支持される。複数の起立部６９は、スペーサ９の基端部９０に当接するように構成されており、このことによりスペーサ９が複数の管体部８０から抜け外れることや、各管体部８０の軸長方向に移動することが防止されている。このような構成によれば、簡易な手段によってスペーサ９を適切に固定し、かつ伝熱管８を安定して支持することができる。また、起立部６９の上部に補助部材６８を連結すれば、これら起立部６９と補助部材６８とによって複数の管体部８０が囲み込まれることとなって、複数の管体部８０の上下方向の位置ずれも防止することができる。
【０００３】
しかしながら、前記従来技術においては、次に述べるように、未だ改善すべき余地があった。
【０００４】
すなわち、スペーサ９の複数の突起部９１は、いずれも複数の管体部８０どうしの間に挿入されており、スペーサ９のうち、複数の管体部８０の外部に露出した状態にあるのは、基端部９０のみとされている。支持部材６ｅの起立部６９は、そのような基端部９０に当接するように設けられているが、このような手段によれば、スペーサ９を安定的に固定させるには、起立部６９を基端部９０に沿わせて長い寸法に形成する必要があり、支持部材６ｅの上下高さ寸法Ｈが大きくなる。したがって、支持部材６ｅの小型・軽量化、および部品コストの低減化を図る上で、未だ改善の余地があった。また、前記従来技術においては、起立部６９に補助部材６８を連結することにより複数の管体部８０の上下方向の位置ずれを防止しているものの、部品点数を少なくして製造の容易化などを図る観点からすると、補助部材６８のような部品を用いる必要を無くすことも好ましい。
【先行技術文献】
【特許文献】
【０００５】
【特許文献１】特開２００８−１５１４７３号公報
【発明の概要】
【発明が解決しようとする課題】
【０００６】
本発明は、前記したような事情のもとで考え出されたものであって、複数の管体部の隙間を規定するスペーサの位置ずれ防止構造の簡素化や使用部品の小サイズ化などを適切に図ることが可能な熱交換器、およびこれを備えた温水装置を提供することをその課題としている。
【課題を解決するための手段】
【０００７】
上記の課題を解決するため、本発明では、次の技術的手段を講じている。
【０００８】
本発明の第１の側面により提供される熱交換器は、加熱用流体が流入するケーシングと、このケーシング内に収容されて一定方向に並んだ熱交換用の複数の管体部と、これら複数の管体部どうしの間に挿入可能な複数の突起部およびこれら複数の突起部を支持しまたは一連に繋ぐ基端部を有するスペーサと、を備えている、熱交換器であって、前記スペーサの複数の突起部のうち、少なくとも１つの突起部は、前記複数の管体部どうしの間に挿入されることなく、前記一定方向の最端に位置する管体部の外面側にはみ出すように配置されたはみ出し突起部とされており、前記ケーシングまたはその内部には、前記スペーサの移動を規制するように前記はみ出し突起部と係合する係合部が設けられていることを特徴としている。
【０００９】
このような構成によれば、前記係合部と前記はみ出し突起部との係合によりスペーサの移動が適切に規制されることは勿論のこと、前記はみ出し突起部は、一定方向に並んだ複数の管体部のうち、一定方向の最端に位置する管体部の外面側にはみ出したものであるために、前記係合部としては、前記最端に位置する管体部の近傍に大きく嵩張らないものとして構成することができる。より具体的には、前記係合部としては、前記従来技術の起立部６９とは異なり、複数の管体が並ぶ方向へ長寸法に延びたものとして構成する必要はない。したがって、スペーサの位置ずれを防止する構造の簡素化および小型・軽量化を図り、熱交換器の製造コストを低減するのに有利となる。
【００１０】
本発明の好ましい実施の形態においては、前記複数の管体部は、上下方向に並び、かつ前記はみ出し突起部は、前記複数の管体部のうち、最下端の管体部の下側に位置しており、前記ケーシング内には、前記最下端の管体部の下面に当接してこの管体部を支持する支持部材が固定して設けられ、この支持部材に前記係合部が設けられている。
【００１１】
このような構成によれば、管体部を支持する支持部材を有効に利用してスペーサの移動を規制するための係合部が設けられており、その構成は合理的であって、熱交換器の部品総数が増加することを抑制するのに好適である。
【００１２】
本発明の好ましい実施の形態においては、前記支持部材は、前記はみ出し突起部が進入する上面開口状の凹部を形成する起立壁を有し、かつこの起立壁が、前記係合部であり、前記起立壁と前記はみ出し突起部との係合により、前記スペーサの水平方向への移動が規制されている。
【００１３】
このような構成によれば、スペーサの水平方向への移動規制を図るための構造を、非常に簡易なものとすることができる。
【００１４】
本発明の好ましい実施の形態においては、前記スペーサは、前記複数の管体部のうち、最上端の管体部の上側に位置する追加のはみ出し突起部を有しており、前記ケーシングの上壁部は、前記追加のはみ出し突起部に対してその上側から当接または接近し、前記追加のはみ出し突起部および前記複数の管体部の上方への移動を規制している。
【００１５】
このような構成によれば、複数の管体部が上下方向に移動することを適切に規制することが可能であるが、そのための手段として、ケーシングの上壁部と支持部材とが利用されており、前記従来技術の補助部材６８に相当する部材を用いる必要はない。したがって、部品点数の増加を回避することができる。さらに重要な効果として、ケーシングの上壁部と最上端の管体部との隙間の寸法を追加のはみ出し突起部を利用して所望の寸法に規定し、前記隙間に対する加熱用流体の通過量や通過時の抵抗(いわゆる排気抵抗に相当する)を適切な値とすることができる。前記隙間の寸法が不適切であると、熱交換効率の低下を招いたり、あるいはケーシングの上壁部が過熱するといった不具合を生じるが、前記構成によれば、そのような不具合を好適に防止することが可能である。加えて、ケーシングの上壁部と最上端の管体部との間に追加のはみ出し突起部が介在することにより、それら上壁部と管体部とが広い面積で直接接触しないようにし、管体部から上壁部への熱伝達（放熱）を抑制する効果も得られる。
【００１６】
本発明の好ましい実施の形態においては、前記ケーシングのうち、前記最端箇所の管体部の外面に対向する壁部には、前記はみ出し突起部を進入させる凹部が形成されており、この凹部形成領域が、前記係合部である。
【００１７】
このような構成によれば、ケーシングの所定の壁部を利用してスペーサの移動を規制することができ、スペーサの移動を規制するための専用部材を用いる必要はない。したがって、部品点数の減少などを図り、製造コストを低減するのにより好ましいものとなる。
【００１８】
本発明の第２の側面により提供される温水装置は、加熱用流体供給手段と、この加熱用流体供給手段から供給される加熱用流体を利用して湯水加熱を行なうための熱交換器と、を備えている、温水装置であって、前記熱交換器として、本発明の第１の側面により提供される熱交換器が用いられていることを特徴としている。
【００１９】
このような構成によれば、本発明の第１の側面により提供される熱交換器について述べたのと同様な効果が得られる。
【００２０】
本発明のその他の特徴および利点は、添付図面を参照して以下に行なう発明の実施の形態の説明から、より明らかになるであろう。
【図面の簡単な説明】
【００２１】
【図１】本発明が適用された熱交換器を備えた温水装置の一例を示す概略断面図である。
【図２】図１のII−II要部断面図である。
【図３】（ａ）は、図１に示す熱交換器の正面断面図であり、（ｂ）は、（ａ）のＡ部拡大図である。
【図４】図１に示す熱交換器の平面断面図である。
【図５】図１に示す熱交換器に用いられているスペーサの斜視図である。
【図６】（ａ）は、図５に示すスペーサの平面図であり、（ｂ）は、その正面図であり、（ｃ）は、その右側面図である。
【図７】（ａ）は、図１に示す熱交換器に用いられている支持部材を示す斜視図であり、（ｂ）は、（ａ）のVIIb−VIIb断面図であり、（ｃ）は、（ａ）のVIIc−VIIc断面図である。
【図８】（ａ）は、本発明が適用された熱交換器の他の例を示す正面断面図であり、（ｂ）は、（ａ）のＢ部拡大図である。
【図９】従来技術の一例を示す要部分解断面図である。
【発明を実施するための形態】
【００２２】
以下、本発明の好ましい実施の形態について、図面を参照して具体的に説明する。
【００２３】
図１〜図７は、本発明が適用された熱交換器を備えた給湯装置としての温水装置、およびこれに関連する構成の一例を示している。図１によく表われているように、本実施形態の温水装置ＷＨは、燃焼器３、１次熱交換器１、および２次熱交換器ＨＥを備えている。２次熱交換器ＨＥは、本発明が適用された熱交換器の一例に相当する。
【００２４】
燃焼器３は、たとえばガス燃焼器であり、送風ファン３１から燃焼用空気が供給される缶体３０内に配され、外部からガス配管３２を介して供給される燃料ガスを燃焼させる。１次熱交換器１は、燃焼器３によって発生された燃焼ガスから顕熱を回収するためのものであり、たとえば複数のフィン１２を有する伝熱管１１を用いて構成されている。
【００２５】
２次熱交換器ＨＥは、１次熱交換器１を通過した燃焼ガスから潜熱を回収するためのものであり、缶体３０の上部に載設されている。この２次熱交換器ＨＥは、ケーシング７、複数の伝熱管Ｔ、支持部材６、および複数の管体用のスペーサＳを備えている。複数の伝熱管Ｔは、ケーシング７内に収容された複数の螺旋状管体部５を有している。
【００２６】
図２に示すように、ケーシング７の底壁部７０ａおよび前壁部７０ｂには、燃焼ガス用の給気口７１および排気口７２が設けられており、１次熱交換器１を上向きに通過した燃焼ガスは、給気口７１からケーシング７内に進入して、複数の螺旋状管体部５どうしの各隙間５９を通過し、その際に熱回収される。熱回収がなされた燃焼ガスは、排気口７２からケーシング７の外部に排出される。螺旋状管体部５によって燃焼ガスから潜熱が回収されると、ドレイン（凝縮水）が発生してケーシング７の底壁部７０ａ上に滴下する。底壁部７０ａは、前下がり状に傾斜しており、またその前部寄りの位置にはドレイン用の排出口７３を備えている（図３を参照）。このことにより、螺旋状管体部５から底壁部７０ａ上に滴下したドレインは、排出口７３に流れ込み、ケーシング７の外部に排出される。
【００２７】
各螺旋状管体部５は、図４によく表われているように、平面視略長円状の一連に繋がった複数のループ部５０が複数の隙間５９を介して上下高さ方向に積層した構成を有している。複数の螺旋状管体部５のそれぞれのループ部５０の大きさは相違しており、これらは略同心の重ね巻き状に配されている。なお、各螺旋状管体部５において、直線状の管体部５０ａは略水平であり、各螺旋状管体部５の両端に位置する平面視半円アーチ状の管体部５０ｂは水平面に対して傾斜している。複数の螺旋状管体部５の下端および上端に連設された延設管体部５１，５２の一部は、ケーシング７の外部に引き出されており、入水用および出湯用のヘッダ５５Ａ，５５Ｂとの連結が図られている。図１によく表われているように、この温水装置ＷＨにおいては、ヘッダ５５Ａに入水がなされると、この水は各伝熱管Ｔ内を流通して加熱され、その後ヘッダ５５Ｂから接続配管１８を経由して伝熱管１１内に流れ込み、さらに加熱される。次いで、この加熱された湯水は、出湯口１４から出湯し、適当な配管（図示略）を介して所望の給湯先に供給される。
【００２８】
スペーサＳは、複数の伝熱管Ｔのループ部５０どうしの上下方向の隙間５９を所望の寸法に設定するためのものである。このスペーサＳは、既述した特許文献１に記載されたスペーサとその基本的な構成は同様であり、金属製線材に曲げ加工を施すことにより形成され、図５および図６に示すような構成を有している。より具体的には、スペーサＳは、平面視略Ｕ字状に形成されて一定方向（図面では上下方向）に間隔を隔てて並んだ複数の突起部２０と、これら複数の突起部２０を一連に繋ぐ正面視半円アーチ状の複数の基端部２１とを有している。複数の突起部２０は、図２によく表われているように、たとえば複数の管体部５０ａどうしの間にその一側方から挿入される。ただし、突起部２０の総数は、上下方向における管体部５０ａの総数よりも多く（図面では、突起部２０の総数は８であり、上下方向における管体部５０ａの総数は７である）、最下端に位置する突起部２０は、管体部５０ａどうしの間には挿入されておらず、最下端の管体部５０ａ’の下側にはみ出した状態に配置されたはみ出し突起部２０ａである。また、最上端に位置する突起部２０も管体部５０ａどうしの間には挿入されておらず、最上端の管体部５０ａ”の上側にはみ出した状態に配置されたはみ出し突起部２０ｂ（本発明でいう追加のはみ出し突起部の一例に相当）である。
【００２９】
支持部材６は、複数の伝熱管Ｔの固定支持を図るためのものであるが、スペーサＳの移動を規制する役割も果たす。この支持部材６は、たとえばステンレス鋼板にプレス加工を施すことにより構成されており、図７に示すような構成を有している。より詳しくは、この支持部材６は、位置決め用の孔部６０ａ，６０ｂが設けられた底板部６０、この底板部６０の短手方向両側縁から起立した一対の第１の起立壁６１、底板部６０の長手方向一側縁から起立した第２の起立壁６２、第１の起立壁６１の上端部に繋がった一対の受け板部６３、およびこれら一対の受け板部６３の一側縁から起立した一対のストッパ片６４を有している。第１および第２の起立壁６１，６２は、上面開口状の凹部６５を形成している。この凹部６５は、後述するように、スペーサＳのはみ出し突起部２０ａを嵌入させるための部分であり、第１および第２の起立壁６１，６２は、凹部６５に嵌入されたはみ出し突起部２０ａと係合してその移動を規制する役割を果たし、本発明でいう係合部の一例に相当する。
【００３０】
支持部材６は、図２および図３に示すように、ケーシング７の底壁部７０ａの上面に溶接などの手段を用いて固定されている。一対の受け板部６３は、その上面が略水平状に設定されており、複数の管体部５０ａは、スペーサＳのはみ出し突起部２０ａが凹部６５に進入するようにして、一対の受け板部６３上に載せられている。図２に示すように、最下端の管体部５０ａ’は、第２の起立壁６２とストッパ片６４との間に挟まれており、このことにより水平方向（スペーサＳの各突起部２０の長手方向）の位置決めが図られている。したがって、第２の起立壁６２は、スペーサＳの移動規制と管体部５０ａの移動規制との双方に役立っている。なお、第２の起立壁６２は、図７に示すように、左右非対称の形状とされているが、これは、スペーサＳの最下端の基端部２１と第２の起立壁６２との干渉を回避して、第２の起立壁６２を受け板部６３上の管体部５０ａにできる限り接近させるためである。スペーサＳのはみ出し突起部２０ａは、その基端寄りの一端部２０ａ’が、第２の起立壁６２に当接することとなり、この当接により、スペーサＳが複数の管体部５０ａから抜け外れることが防止される。
【００３１】
図２および図３によく表われているように、ケーシング７の上壁部７０ｃには、はみ出し突起部２０ｂにその上側から当接する下向きの凸状部７４が設けられている。この凸状部７４は、たとえばプレス加工により設けられている。なお、本実施形態では、スペーサＳや支持部材６が１つずつ設けられているに過ぎないが、各伝熱管Ｔの螺旋状管体部５は、ケーシング７に固定された延設管体部５１，５２によっても支持された状態にあるために、スペーサＳや支持部材６が設けられている箇所と、そうでない箇所との間で、ループ部５０どうしの隙間５９の寸法に大きな差が生じるといった不具合はない。ただし、スペーサＳや支持部材６を複数箇所に設けてもよいことは勿論である。
【００３２】
次に、前記した熱交換器ＨＥを備えた温水装置ＷＨの作用について説明する。
【００３３】
図２および図３に示されているように、スペーサＳの最下端に位置するはみ出し突起部２０ａは、支持部材６の凹部６５に嵌入しており、凹部６５を形成する第１および第２の起立壁６１，６２と係合している。はみ出し突起部２０ａと第１の起立壁６１との係合は、スペーサＳが各管体部５０ａの長手方向に移動することを阻止する作用を生じさせる。また、はみ出し突起部２０ａと第２の起立壁６２との係合は、スペーサＳが管体部５０ａどうしの隙間５９から抜け外れることを阻止する作用を生じさせる。したがって、複数の管体部５０ａに対するスペーサＳの相対移動を阻止し、その装着状態を適正に維持することができる。一方、このようにスペーサＳの移動を防止するための手段として、はみ出し突起部２０ａが嵌入する凹部６５を支持部材６に設ける手段を採用すれば、支持部材６をさほど大きなサイズに形成する必要はなくなり、支持部材６の軽量化や製造コストの低減を図ることができる。また、支持部材６は、スペーサＳの移動を防止する機能に加え、複数の管体部５０ａが水平方向に移動しないように支持する機能をも発揮するものであるために、スペーサＳ用の固定部材と管体部５０ａ用の支持部材とを別々に設ける場合と比較すると、その構成は合理的であり、熱交換器ＨＥの部品総数を少なくするのに好適である。
【００３４】
複数の管体部５０ａは、はみ出し突起部２０ｂを介してケーシング７の上壁部７０ｃによって上方に浮き上がないように下向きに押さえられた状態にある。したがって、複数の伝熱管Ｔが上下方向に位置ずれすることも適切に防止され、伝熱管Ｔの振動音などを発生し難くする効果も得られる。複数の管体部５０ａの上方への浮き上がりを防止する手段として、ケーシング７の上壁部７０ｃが利用されているために、やはりそれ専用の部材を別途用いる必要がなく、部品点数の増加を防止するのに一層好ましいものとなる。また、ケーシング７の上壁部７０ｃを最上端の管体部５０ａ”に直接接触させたのでは、それらの接触面積が大きく、最上端の管体部５０ａ”から上壁部７０ｃに向けての熱伝達量が多くなって、放熱ロスを生じることとなるが、これら管体部５０ａ”と上壁部７０ｃとの間にはみ出し突起部２０ａを介在させれば、そのようなことも適切に抑制することができる。さらに、上壁部７０ｃと最上端の管体部５０ａ”との隙間の寸法は、スペーサＳを利用して所定の寸法に正確に規定されるために、上壁部７０ｃと最上端の管体部５０ａ”との隙間を通過する燃焼ガス量を所望の適切な量に設定し、排気抵抗が過大になること防止しつつ、高い熱交換効率が得られるようにすることもできる。
【００３５】
図８は、本発明の他の実施形態を示している。同図において、前記実施形態と同一または類似の要素には、前記実施形態と同一符号を付している。
【００３６】
図８に示す実施形態においては、ケーシング７の底壁部７０ａにプレス加工などを施すことにより、この底壁部７０ａに凹部７８を形成し、かつこの凹部７８に、はみ出し突起部２０ａが嵌入している。また、底壁部７０ａには、部分的に上向きに突出した凸状部７７も設けられ、この凸状部７７上に最下端の管体部５０ａ’が載置されて複数の管体部５０ａが支持されている。
【００３７】
本実施形態によれば、前記実施形態の支持部材６に相当する部品が不要であり、熱交換器の部品総数をより少なくすることができる。本実施形態および前記実施形態から理解されるように、本発明においては、はみ出し突起部と係合する係合部は、ケーシングの内部にケーシングとは別の部材を利用して設けられる場合と、ケーシング自体に設けられる場合とのいずれであってもよい。
【００３８】
本発明は、上述した実施形態に限定されない。本発明に係る熱交換器、および温水装置の各部の具体的な構成は、種々に設計変更自在である。
【００３９】
本発明でいう係合部は、スペーサの移動を規制するようにはみ出し突起部と係合する部分であればよく、凹部以外の形状のものとして構成とすることができる。上述の実施形態では、スペーサの複数の突起部のうち、最上端および最下端に位置する２つの突起部をはみ出し突起部としているが、これらのうち一方を管体部どうしの間に挿入させ、他方のみをはみ出し突起部とした構成とすることもできる。最上端の突起部をはみ出し突起部とした場合には、それに対応させて、前記はみ出し突起部に係合する係合部をケーシングの上部側に設ければよい。もちろん、複数の管体部が並ぶ方向は、上下方向以外のたとえば上下斜め方向や略水平方向であってもよく、このような場合にも本発明を適用することができる。スペーサのはみ出し突起部は、他の突起部と必ずしもその形状やサイズが同一に揃えられていなくてもよい。スペーサは、金属線材に曲げ加工を施したものでなくてもよく、たとえばプレート状またはバー状の部材を基端部とし、この基端部から一定の厚みをもつプレート状あるいは軸状などの複数の突起部が櫛歯状に突出して並んだような構成のものを用いることもできる。
【００４０】
熱交換用の複数の管体部としては、螺旋状以外のたとえば直管状のものを用いることも可能である。ケーシングは、熱交換用の複数の管体部を収容し、かつ内部に燃焼ガスなどの加熱用流体が流入されればよく、その具体的な形状やサイズなども限定されない。上述の実施形態では、顕熱回収用の１次熱交換器については、本発明を適用していないが、本発明に係る熱交換器は、顕熱回収用、潜熱回収用の種別を問わない。本発明に係る熱交換器を、顕熱回収に用いることもできる。本発明でいう温水装置とは、湯を生成する機能を備えた装置の意であり、一般給湯用、風呂給湯用、暖房用、あるいは融雪用などの各種の給湯装置、および給湯以外に用いられる湯を生成する装置を広く含む概念である。加熱用流体としては、燃焼ガス以外として、たとえばガスエンジンや燃料電池からの排ガスを用いることもできる。
【図１】
2011007353.tif 000003
【図２】
2011007353.tif 000004
【図３】
2011007353.tif 000005
【図４】
2011007353.tif 000006
【図５】
2011007353.tif 000007
【図６】
2011007353.tif 000008
【図７】
2011007353.tif 000009
【図８】
2011007353.tif 000010
【図９】
2011007353.tif 000011